(57)【要約】【課題】  本発明の目的は、一対の電極による尿検知センサを用いても残尿による真空ポンプの誤動作を防止できる自動排尿処理装置およびそれに用いる尿レシーバを提供することにある。【解決手段】  表面シート１５と吸尿シート３の間に漏斗形状孔が穿設されている非通水性の尿戻り抑制シート１３を配置する。尿検知センサ４を構成する一対の短冊状電極４ａ、４ｂは電極支持シート３６に接着され、表面シート１５と尿戻り抑制シート１３の間に配置される。尿戻り抑制シート１３には複数の漏斗形状孔（すり鉢状孔）が穿設されている。【選択図】  図３
2005102979.tif 000002
【特許請求の範囲】
【請求項１】
表面シートと吸尿シートの間に漏斗形状孔を穿設されている尿戻り抑制シートが配置され、前記表面シートと前記尿戻り抑制シートの間に一対の電極が配置されている尿検知センサを有する尿レシーバと、密閉されている尿タンクと、前記尿レシーバに穿設されている導尿口から前記尿タンクに尿を導く導尿チューブと、前記尿タンク内の圧力を低下させる真空ポンプとを具備することを特徴とする自動排尿処理装置。
【請求項２】
複数の漏斗形状孔を穿設されている尿戻り抑制シートが表面シートと尿を吸尿する吸尿シートの間に配置され、前記表面シートと前記尿戻り抑制シートの間に２個の電極が配置されている尿検知センサを有する尿レシーバと、密閉されている尿タンクと、前記尿レシーバに穿設されている導尿口から前記尿タンクに尿を導く導尿チューブと、前記尿タンク内の圧力を低下させて前記尿レシーバに穿設されている導尿口から前記尿タンクに尿を吸引する真空ポンプとを具備することを特徴とする自動排尿処理装置。
【請求項３】
複数の漏斗形状孔を穿設されている非通水性の尿戻り抑制シートが通水性の表面シートと尿を吸尿する吸尿シートの間に配置され、尿によって通電する２個の短冊状電極が前記表面シートと前記尿戻り抑制シートの間に配置されている尿検知センサを有する尿レシーバと、密閉されている尿タンクと、前記尿レシーバに穿設されている導尿口から前記尿タンクに尿を導く導尿チューブと、前記尿検知センサが尿を検出すると起動され、前記尿タンク内の圧力を低下させて前記導尿口を負圧にして前記尿タンクに尿を吸引する真空ポンプとを具備することを特徴とする自動排尿処理装置。
【請求項４】
複数の漏斗形状孔を穿設されている非通水性の尿戻り抑制シートが通水性の表面シートと尿を吸尿する吸尿シートの間に配置され、尿によって通電する２個の短冊状電極が前記表面シートと前記尿戻り抑制シートの間に配置されている尿検知センサを有する尿レシーバと、尿タンクに収納されている密閉の尿溜めパックと、前記尿溜めパックに流入した尿の遥動を抑制する尿遥動抑制手段と、前記尿レシーバに穿設されている導尿口から前記尿溜めパックに尿を導き、ジョイントにより接続されている導尿チューブと、前記尿検知センサが尿を検出すると起動され、前記尿溜めパック内の圧力を低下させて前記導尿口を負圧にする真空ポンプとを具備することを特徴とする自動排尿処理装置。
【請求項５】
装着者の排尿部から排泄される尿を吸収する尿レシーバと、密閉されている尿タンクと、前記尿レシーバから前記尿タンクに尿を導く導尿チューブと、前記尿タンク内の圧力を低下させる真空ポンプとを具備し、前記尿レシーバは、導尿口が穿設されている非通水性の支持シートと、前記支持シートに保持され、尿を吸尿する吸尿シートと、前記吸尿シートと表面シートの間に配置され、漏斗形状孔を穿設されている尿戻り抑制シートと、前記表面シートと前記尿戻り抑制シートの間に一対の電極が配置されている尿検知センサを有することを特徴とする自動排尿処理装置。
【請求項６】
装着者の排尿部から排泄される尿を吸収する尿レシーバと、密閉されている尿タンクと、前記尿レシーバから前記尿タンクに尿を導く導尿チューブと、前記尿タンク内の空気を吸引する真空ポンプとを具備し、前記尿レシーバは、前記導尿チューブが接続される導尿口が穿設されている非通水性の支持シートと、前記支持シートに保持され、尿を吸尿する吸尿シートと、前記支持シートと前記吸尿シートの間に配置されている吸尿空間部材と、前記吸尿シートと表面シートの間に配置され、複数の漏斗形状孔が穿設されている尿戻り抑制シートと、前記表面シートと前記尿戻り抑制シートの間に２個の電極が配置されている尿検知センサを有することを特徴とする自動排尿処理装置。
【請求項７】
装着者の排尿部から排泄される尿を吸収する尿レシーバと、密閉されている尿タンクと、前記尿タンクに流入した尿の遥動を抑制する尿遥動抑制手段と、前記尿レシーバから前記尿タンクに尿を導く導尿チューブと、前記尿タンク内の空気を吸引する真空ポンプとを具備し、前記尿レシーバは、前記導尿チューブが接続される導尿口が穿設されている非通水性の支持シートと、前記支持シートに保持され、尿を吸尿する吸尿シートと、前記支持シートと前記吸尿シートの間に配置されている吸尿空間部材と、前記吸尿シートと表面シートの間に配置され、複数の漏斗形状孔が穿設されている尿戻り抑制シートと、前記表面シートと前記尿戻り抑制シートの間に、尿によって通電する２個の短冊状電極が配置されている尿検知センサを有することを特徴とする自動排尿処理装置。
【請求項８】
装着者の排尿部から排泄される尿を吸収する尿レシーバと、尿タンクに収納されている密閉の尿溜めパックと、前記尿溜めパックに流入した尿の遥動を抑制する尿遥動抑制手段と、前記尿レシーバに穿設されている導尿口から前記尿溜めパックに尿を導き、ジョイントにより接続されて導尿チューブと、前記尿溜めパックに流入した尿の遥動を抑制する尿遥動抑制手段と、前記尿タンク内の空気を吸引する真空ポンプとを具備し、前記尿レシーバは、前記導尿チューブが接続される導尿口が穿設されている非通水性の支持シートと、前記支持シートに保持され、尿を吸尿する吸尿シートと、前記支持シートと前記吸尿シートの間に配置されている吸尿空間部材と、前記吸尿シートと表面シートの間に配置され、複数の漏斗形状孔が穿設されている尿戻り抑制シートと、前記表面シートと前記尿戻り抑制シートの間に配置されているクッションシートと、尿によって通電する２個の短冊状電極が前記クッションシートと前記尿戻り抑制シートの間に配置されている尿検知センサを有することを特徴とする自動排尿処理装置。
【請求項９】
装着者の排尿部から排泄される尿を吸収する尿レシーバであって、導尿口が穿設されている非通水性の支持シートと、前記支持シートに保持され、尿を吸尿する吸尿シートと、前記吸尿シートと表面シートの間に配置され、漏斗形状孔を穿設されている尿戻り抑制シートと、前記表面シートと前記尿戻り抑制シートの間に一対の電極が配置されている尿検知センサを具備することを特徴とする尿レシーバ。
【請求項１０】
装着者の排尿部から排泄される尿を吸収する尿レシーバであって、導尿口が穿設されている非通水性の支持シートと、前記支持シートに保持され、尿を吸尿する吸尿シートと、前記支持シートと前記吸尿シートの間に配置されている吸尿空間部材と、前記吸尿シートと表面シートの間に配置され、複数の漏斗形状孔が穿設されている尿戻り抑制シートと、前記表面シートと前記尿戻り抑制シートの間に２個の電極が配置されている尿検知センサを具備することを特徴とする尿レシーバ。
【請求項１１】
装着者の排尿部から排泄される尿を吸収する尿レシーバであって、導尿口が穿設されている非通水性の支持シートと、前記支持シートに保持され、尿を吸尿する吸尿シートと、前記支持シートと前記吸尿シートの間に配置されている吸尿空間部材と、前記吸尿シートと表面シートの間に配置され、複数の漏斗形状孔が穿設されている尿戻り抑制シートと、前記表面シートと前記尿戻り抑制シートの間に、尿によって通電する２個の短冊状電極が配置されている尿検知センサを具備することを特徴とする尿レシーバ。
【請求項１２】
装着者の排尿部から排泄される尿を吸収する尿レシーバであって、導尿口が穿設されている非通水性の支持シートと、前記支持シートに保持され、尿を吸尿する吸尿シートと、前記支持シートと前記吸尿シートの間に配置されている吸尿空間部材と、前記吸尿シートと表面シートの間に配置され、複数の漏斗形状孔が穿設されている尿戻り抑制シートと、前記表面シートと前記尿戻り抑制シートの間に配置されているクッションシートと、尿によって通電する２個の短冊状電極が前記クッションシートと前記尿戻り抑制シートの間に配置されている尿検知センサを具備することを特徴とする尿レシーバ。
【発明の詳細な説明】
【技術分野】
【０００１】
本発明は、自力歩行が困難な老人、入院患者、身障者、その他の自分の意志で排尿をコントロールしたり始末するのが困難な人に装着して排尿を処理する自動排尿処理装置およびそれに用いる尿レシーバに関する。
【背景技術】
【０００２】
【特許文献１】特開平７−１７１１８２号公報
【特許文献２】特開平１０−８５２７５号公報
【０００３】
一般に、老人、身体障害者、怪我や病気での入院患者などは、自分の意志で排尿をコントロールすることが困難になり、また、尿を自力での後始末が困難になることがある。このようになると、一般的には膀胱に管を直接挿入して採尿したり、あるいは紙おむつを使用するようにしている。
【０００４】
膀胱に直接管を挿入する場合には、使用者の不快感も大きく、また尿道や膀胱を傷つけたり感染症を引き起こす可能性が高いなど、専門的な知識と滅菌された専用の器具が無いと処理が困難になる。
【０００５】
また、紙おむつは、長時間装着すると尿漏れが起きたり、また装着者の不快感や、蒸れ、被れなどの皮膚疾患を生じることがある。そのため、頻繁な取替えが必要となり、装着者及び介護者の精神的、肉体的負担も多くなる。精神的、肉体的負担は日常生活の中でも非常に大きな割合を占め、その上、経済的な負担も大きくなる。
【０００６】
このような問題を解決するために、尿レシーバを用いて尿を真空ポンプによって吸引し、導尿チューブを介して尿タンクに導尿する自動排尿処理装置が提案されている。このような自動排尿処理装置には排尿を検知して真空ポンプを起動するために尿検知センサが用いられる。尿検知センサには、尿による一対の電極の通電によって検知する方法、排尿による導尿チューブ内の差圧により検知する方法、排泄物の臭成分を検知する方法などがある。導尿チューブの差圧により検知する方法や排泄物の臭成分を検知する方法は、装置が複雑になりコスト高になる。このため、実用化には一対の電極の通電による排尿検知が有効と考えられている。
【０００７】
一対の電極による尿検知センサを用いた自動排尿処理装置は、例えば、上述の特許文献１、２に記述されている。
【発明の開示】
【発明が解決しようとする課題】
【０００８】
自動排尿処理装置の尿レシーバは、尿を容易に通過させる不織布の表面シートの下側に吸尿シートを配置している。尿検知センサを構成する一対の電極は表面シートと吸尿シートの間に配置される。吸尿シートの下側には尿を広い範囲から回収するために、尿の流路となる空間を形成する吸尿空間形成部材が設けられる。吸尿シートや吸尿空間形成部材には回収されなかった尿が残ることがある。そのため、装着者が姿勢を変えると体重移動によって回収しきれなかった残尿が尿検知センサ側に滲み出ることがある。
【０００９】
一対の電極による尿検知センサは滲み出た残尿により通電して尿検知を行い真空ポンプを動作させることになる。このように、排尿時以外に真空ポンプが動作すると、装着者に不快感を生じさせることになり、安心して使用することができないという問題点を有する。
【００１０】
本発明の目的は、一対の電極による尿検知センサを用いても残尿による真空ポンプの誤動作を防止できる自動排尿処理装置およびそれに用いる尿レシーバを提供することにある。
【課題を解決するための手段】
【００１１】
本発明の特徴とするところは、表面シートと吸尿シートの間に漏斗形状孔が穿設されている非通水性の尿戻り抑制シートを配置し、尿検知センサを構成する一対の電極は表面シートと尿戻り抑制シートの間に配置されるようにしたことにある。尿戻り抑制シートには複数の漏斗形状孔（すり鉢状孔）が穿設される。
【００１２】
本発明は複数の漏斗形状孔が穿設されている尿戻り抑制シートの上側（表面シート側）に尿検知センサを配置している。排尿を表面シートから吸尿シート方向に流す場合は漏斗形状孔の開口部面積が大きいので流れ易く、逆戻り方向には開口部面積が小さい戻り難くなる。漏斗形状孔の開口部面積が小さいと戻り難くなるのは、吸尿シートに吸着している尿に表面張力があるためである。
【発明の効果】
【００１３】
本発明は一対の電極による尿検知センサを用いても残尿による真空ポンプの誤動作を防止でき、装着者に不快感を生じさせることになく安心して使用することができる。
【発明を実施するための最良の形態】
【００１４】
尿を吸収する尿レシーバは装着者の排尿部に装着される。尿レシーバに吸収された尿は導尿チューブを介して密閉されている尿タンクに導かれる。尿タンクには流入した尿の遥動を抑制する尿遥動抑制手段が設けられている。真空ポンプは尿タンク内の空気を吸引して尿を尿タンクに導くようにする。尿レシーバは、導尿チューブが接続される導尿口が穿設されている非通水性の支持シートと、支持シートに保持され、尿を吸尿する吸尿シートと、支持シートと吸尿シートの間に配置されている吸尿空間部材と、吸尿シートと表面シートの間に配置され、複数の漏斗形状孔が穿設されている尿戻り抑制シートと、表面シートと尿戻り抑制シートの間に、尿によって通電する２個の短冊状電極が配置されている尿検知センサを有している。
【実施例】
【００１５】
図１〜図４に本発明の一実施例を示す。図１は本発明の自動排尿処理装置の全体構成図を示し、図２はタンクを一部破断して蓋容器を除去した分解斜視図、図３は尿レシーバの分解拡大斜視図、図３は尿検知センサの斜視図、図４は尿レシーバの図３におけるＡ−Ａ拡大断面図を示している。
【００１６】
図１〜４は尿タンクに尿溜め容器としての尿溜めパックを収納した例を示している。
【００１７】
図１〜４において、尿レシーバ１は平面的に図示しているが、実際には装着者の股間に接触する面が窪んだすり鉢形状に構成されており、装着者の股間に位置する長手方向（装着者の前後方向）の略中央部が図１および図３に示すように幅が狭くなり絞られた形状に形成されている。尿レシーバ１の略中央部を絞られた形状にしているのは装着者の股間にフィットさせるためである。
【００１８】
尿レシーバ１は装着者の股間に接触する面（上面）から見た図であり、装着者の排尿を吸収する吸尿シート３と排尿があったことを検知する尿検知センサ４（電極４ａ、４ｂ）が尿レシーバ１の内部に配置されている。吸尿シート３の下側にはビーズ状の吸尿空間形成部材３ａが配置されている。吸尿シート３と吸尿空間形成部材３ａを纏めて排尿回収部材３と称することもある。
【００１９】
また、尿レシーバ１は尿の横漏れを防止するための立体構造のギャザー５が形成されている。排尿回収部材３と尿検知センサ４は、装着者が尿レシーバ１内に排出した広い範囲の尿を検知、回収するために装着者の股間の前後方向に長く形成されている。排尿回収部材３の中央部には、導尿チューブ６が接続されている。尿検知センサ４には、信号線７が接続されている。また、携帯尿処理装置８には導尿チューブ９および信号線１０が接続されており、導尿チューブ９および信号線１０の他端にはジョイント１１が接続される構成になっている。
【００２０】
ジョイント１１は、導尿チューブ６、９および信号線７、１０をワンタッチで連結する機能を有する。尿レシーバ１は、１日程度使用した場合や大便などの汚れが付着した場合には、ジョイント１１により尿タンク８から切り離して廃棄して、新しい尿レシーバ１を装着者に装着することができる。
【００２１】
尿レシーバ２は図３に示すように、支持シート１２、尿回収部材３、すり鉢状孔あきシート１３、尿検知センサ４、クッションシート１４、表面シート１５により構成されている。ギャザー５は非通水性の不織布などで形成されている。ギャザー５は表面シート１５の長手方向の輪郭に沿って内側に傾斜して植立するように形成されており、ヒートシールのような加工法で接着して配置される。ギャザー５の植立部の高さは１５ｍｍ程度である。傾斜植立されたギャザー５は装着者の動作や体位移動などによる尿の横漏れを防止する。
【００２２】
支持シート１２は発泡ポリエチレンシートなどの柔軟性のある素材で形成される。吸尿シート３と吸尿空間形成部材３ａで構成される尿回収部材３には図４に示すように尿を取り込むための小さな吸尿空間である流路３ｂが形成されている。また、支持シート１２には導尿チューブ６が貫通する導尿孔１２ａが穿設されている。導尿チューブ６は、軟質樹脂のような軟質可撓性材で形成される。尿戻り抑制シート１３は図５に示すように漏斗形状孔１８を穿設した非通水性のポリエチレンフィルムなどで形成されている。
【００２３】
尿検知センサ４を構成する電極４ａ、４ｂは電極支持シート３６に平行に接着され配置されている。電極支持シート３６は通水性が良く薄肉のサーマルボンド不織布などで形成され、尿戻り抑制シート１３とクッションシート１４の間に配置されている。クッションシート１４は、通水性の良いサーマルボンド不織布などで形成されており、装着者のフィット感を良くするために弾力性を持たせている。
【００２４】
表面シート１５は、通水性の良い薄肉のサーマルボンド不織布などで形成されている。表面シート１５とクッションシート１４は通水性が良いために、装着者の排尿を円滑に通して尿検知センサ４に検知させることができる。クッションシート１４は３〜５ｍｍ程度の厚みを持ち装着感の向上と、排尿が装着者の肌面に戻るのを防止している。
【００２５】
表面シート１５は１ｍｍ程度の厚みを持つメッシュシートにして吸水性、吸汗性を高くし、尿をメッシュシートの細かい孔から速やかにクッションシート１４に到達させることにより装着者の肌面の濡れた感触を少なくしている。表面シート１５はクッションシート１４、尿検知センサ４、尿戻り抑制シート１３、尿回収部材３を覆って固定するように、表面シート１５の周囲を支持シート１２に接着している。接着はヒートシールのような加工法を用いる。
【００２６】
支持シート１２は装着者の前後方向の長さが３２０ｍｍ程度、幅の最大が１３０ｍｍ程度、最小が９０ｍｍ程度、厚さが２ｍｍ程度である。尿回収部材３は装着者の前後方向の長さが２５０ｍｍ程度、幅が４５ｍｍ程度、厚さが１０ｍｍ程度である。尿戻り抑制シート１３およびクッションシート１４は長さと幅も尿回収部材３の同程度である。
【００２７】
携帯尿処理装置８は尿タンク３５、蓋容器３７及びバッテリボックス３８から構成される。尿タンク３５は樹脂により上部開口の長方体状に形成されている。尿タンク３５の底板には４箇所をばね２７により弾性支持された支持板２６が配置されている。尿溜め容器としての尿溜めパック２５は牛乳パックのような厚紙などで密閉構成され、上面２５ｃに２個のチューブ導孔２４ａ、２４ｂが穿設されている。尿溜めパック２５内には図示していないが、例えば、架橋ポリアクリル酸ソーダのように尿を吸収するとゲル状化する粒子状の高吸水性樹脂が収納されている。高吸水性樹脂は尿が尿溜めパック２５内で遥動（波打ち）するのを抑制する尿遥動抑制手段を構成する。
【００２８】
尿溜めパック２５は例えば牛乳パックのような厚紙で長方体状に形成され、内部には真空圧力に耐えられるように図示しない仕切り板が配置されている。尿溜めパック２５の容量は２回分の排尿を蓄えられる５００ｍｌ程度であるが、携帯用として寸法が１１０ｍｍ×１１０ｍｍ×５０ｍｍ（容積６０５ｍｌ）にすることもできる。また、臨床用に利用する時や夜間などに利用する時には、長時間用として１０００ｍｌ、もしくはそれ以上の量を蓄えられるものにすることもできる。なお、尿タンク３５と尿溜めパック２５は長方体状でなく、身体にフィットさせるために他の形状にすることもできる。
【００２９】
尿タンク３５の上部開口には蓋板３３が配置され、蓋板３３を覆うように蓋容器３７が設けられている。蓋容器３７と蓋板３３間の内部空間には真空ポンプ２９が配置されている。真空ポンプ２９はモータ２８によって駆動される。真空ポンプ２９には吸引チューブ３２の一端が連結され、また、排気チューブ３１が連結されている。吸引チューブ３２と排気チューブ３１も導尿チューブ６、９と同様に軟質可撓性材で形成されている。
【００３０】
モータ２８は図１に示すバッテリボックス３８に収納されたバッテリを駆動電源とし、制御基板３０に搭載された制御装置により制御される。バッテリボックス３８はカセット式に蓋容器３７に組合わされモータ２８に給電する。バッテリとしてはアルカリ電池、２次電池などが用いられる。真空ポンプ２９の体格は径が３０ｍｍ、長さが７０ｍｍ程度以下で小さく、また、バッテリ電圧は５〜９Ｖ程度である。
【００３１】
蓋容器３７の上面にはモータ２８を手動で駆動する手動スイッチ４３が設けられている。また、蓋容器３７は尿タンク３５に取付けると、ワンタッチのロック機構（図示せず）により固定される。蓋板３３には導尿チューブ９を案内する切込み溝４１ａと吸引チューブ３２を案内する切込み溝４１ｂが形成されている。導尿チューブ９と吸引チューブ３２は径が５ｍｍ程度で、切込み溝４１ａ，４１ｂの幅を６ｍｍ程である。
【００３２】
導尿チューブ９の他端側には導尿チューブ９を尿溜めパック３１に装着する装着具２３が取付けられている。装着具２３は導尿チューブ９を挿通把持する挿通孔を形成され、尿溜めパック３５の機密性を保持してチューブ導孔２４ａに導尿チューブ９を装着し、導尿チューブ９を尿溜めパック２５に接続する。装着具２３は軟質樹脂の軟質性物質で漏斗形状に形成され、チューブ導孔２４ａに着脱自在な構成になっている。
【００３３】
装着具２３は漏斗形状であり、外径面および内径面をテーパ状に形成されている。装着具２３は、一例として、テーパ角度が軸方向に対して３０度、外径面テーパ部分の最大直径は８．０ｍｍ、最小直径は６．１ｍｍである。蓋板３３に設けた切込み溝４１ａの幅は上述したように６ｍｍ程度である。導尿チューブ９は切込み溝４１ａに案内されると図２に示すように装着具２３によって係止され上方に引けない状態になる。
【００３４】
装着具２３は導尿チューブ９を挿通把持した状態で尿溜めパック２５の上面２５ｃに穿設されているチューブ導孔２４ａに最小直径（６．１ｍｍ）側から挿入される。チューブ導孔２４ａの径は装着具２３の外形面に施されたテーパの最大直径と最小直径の間である６．５ｍｍ程度である。装着具２３をチューブ導孔２４ａに装着すると、尿溜めパック２５は気密性を保持して密閉される。装着具２３はチューブ導孔２４ａに押込み嵌挿して装着しており、チューブ導孔２４ａに着脱自在に構成されている。導尿チューブ９は装着具２３をチューブ導孔２４ａに装着することにより尿溜めパック２５に接続される。
【００３５】
真空ポンプ２９に一端を連結されている吸引チューブ３２の他端にはフィルタ３４が設けられている。フィルタ３４は脱臭を行うものであるが、尿溜めパック２５において尿吸引時に拡散する可能性のある水分などが真空ポンプ２９へ吸い込まれるのを防止している。
【００３６】
吸引チューブ３２の他端側には吸引チューブ３２を尿溜めパック２５に装着する装着具３２ａが取付けられている。装着具３２ａは導尿チューブ９に装着した装着具２３と同じものである。装着具３２ａはチューブ導孔２４ｂに押込み嵌挿して装着しており、チューブ導孔２４ｂに着脱自在に構成されている。装着具２４ａは尿溜めパック２５の気密性を保持してチューブ導孔２４ｂに装着される。
【００３７】
導尿チューブ９と吸引チューブ３２に装着具２３、３２ａを装着し切込み溝４１ａ、４１ｂに案内して図２に示す状態にする。この状態で尿タンク３５の上部開口に蓋板３３を配置し蓋容器３７を尿タンク３５に取付けて図１の状態にする。導尿チューブ９と吸引チューブ３２は先端を尿溜めパック２５のチューブ導孔２４ａ，２４ｂの中に挿入される。また、装着具２３、３２ａは蓋板３３の切欠き溝４１ａ，４１ｂの下面で押さえつけられ、そのテーパ部分が尿溜めパック２５のチューブ導孔２４ａ，２４ｂに嵌挿され密着する。
【００３８】
一方、尿溜めパック２５は、ばね２７により弾性支持されている支持板２６によって上方に押圧されている。したがって、装着具２３、３２ａは尿溜めパック２５のチューブ導孔２４ａ，２４ｂとの密着度が増加する。なお、装着具２３、３２ａとチューブ導孔２４ａ、２４ｂの密着性を高めるにはチューブ導孔２４ａ，２４ｂが穿設されている尿溜めパック２５の上面２５ｃに軟質部材を塗布することもできる。
【００３９】
さて、尿検知センサ（電極）４は、図６に示すように導通面１６と絶縁面１７を有し、信号線７が接続されている。電極４ａ、４ｂ（尿検知センサ４）は絶縁面１７側を電極支持シート３６に接着されている。電極４ａ、４ｂの間に尿が蓄えられると導通面１６同士が通電して排尿を検知することができる。電極４ａ、４ｂ間に流れる電流は０．１ｍＡ程度の非常に微弱な電流であるため、装着者への電気的な影響は無い。
【００４０】
尿検知センサ４が通電した尿検知信号は信号線７、１０を介して制御基板３０に搭載されている制御装置に加えられる。電極４の絶縁面１７は紙やビニールなどの絶縁性の材料で形成され、導通面１６は絶縁面１７の裏側にアルミ蒸着などの加工法を用いて形成される。尿検知センサ（電極）４の長さは約２００ｍｍ、幅は約５ｍｍ、厚さは０．２ｍｍ程度である。また、平行配置した電極４ａ、４ｂ間の距離は３０ｍｍ程度である。
【００４１】
尿戻り抑制シート１３は、ポリエチレンフィルムなどに図５に示すように、上面が広く下面が狭い微小な漏斗形状孔１８が複数穿設されている。表面シート１５に排尿された尿は尿戻り抑制シート１３に穿設した漏斗形状孔１８の上面開口部１８ａから流れ込み排尿回収部材３に吸収される。
【００４２】
排尿回収部材３の流路３ｂや隙間などには、尿の表面張力などの影響により残尿が残っている。装着者が体位を変えることによる体重移動が排尿回収部材３に作用すると、残尿が尿検知センサ４に逆戻りする。漏斗形状孔１８の下面開口部１８ｂの面積を小さく形成することにより、尿の逆戻りが発生し難くしている。例えば、漏斗形状孔１８の上面開口部１８ａの径は１〜２ｍｍ程度、下面開口部１８ｂの直径は０．５〜１ｍｍ程度、漏斗形状孔１８の配置間隔は３〜５ｍｍ程度で構成されている。
【００４３】
なお、尿戻り抑制シート１３に界面活性剤を塗布または織り込み、界面張力を下げることによって上面から下面へ円滑に排尿が流れるようにするのが望ましい。また、尿戻り抑制シート１３はパーフォレーション方式などにより開孔して形成することができる。パーフォレーション方式とは、開孔プレートとメッシュプレートの治具でシート１３を挟むように配置して、開孔プレート上面より熱風を吹きつけメッシュプレート側より吸引することにより開孔する。
【００４４】
この構成において、尿レシーバ１は装着者（図示せず）の下着内で排尿部に接触するように装着される。尿タンク３５と真空ポンプ２９、モータ２８などを収納した蓋容器３７を含む携帯尿処理装置８は装着者が携帯したり、装着者がベッドに寝ている場合にはベッドの上や下に載置される。
【００４５】
この状態で装着者が排尿すると、排尿は表面シート１５およびクッションシート１４を通過して尿検知センサ４に流入する。排尿は尿戻り抑制シート１３を通り排尿回収部材３に吸収される。尿検知センサ４の電極４ａ、４ｂ間に排尿が満たされると導通面１６が電気的に導通する。尿検知センサ４の尿検知信号は信号線７、１０を介して制御基板３０に搭載されている制御装置に加えられる。
【００４６】
制御基板３０に搭載されている制御装置はモータ２８を起動させ真空ポンプ２９を駆動する。真空ポンプ２９の駆動により尿溜めパック２５は空気の排気により空気圧が低下し、尿レシーバ１の導尿口１２ａに負圧が生じる。尿レシーバ１の排尿回収部材３に吸収された尿は導尿口１２ａが負圧になると、負圧による吸引力により効率良く導尿チューブ６に吸引される。導尿チューブ６に吸引された尿は負圧によって導尿チューブ９を介して尿溜めパック２５に導かれ蓄えられる。
【００４７】
なお、装着者は排尿すると手動スイッチ４３を操作してモータ２８を起動させて尿溜めパック２５に尿を導くようにすることもできる。
【００４８】
尿溜めパック２５に導かれた尿は図示しない粒子状の高吸水性樹脂と反応してゲル状化される。尿がゲル状化されると尿溜めパック２５内で遥動（波打ち）するのを抑制することができる。したがって、携帯用に使用しても尿漏れの虞れがなく携帯用の自動排尿処理装置として望ましい形態に構成できる。
【００４９】
装着者の排泄が終わり尿検知センサ４の尿検知信号が無くなると、制御基板３０に搭載されている制御装置はモータ２８を停止して真空ポンプ２９も停止させる。停止操作は手動スイッチ４３によっても行うことができる。尿溜めパック２５の容量が２回分の排尿を蓄えられる場合には、次の排尿処理も同様にして行われる。
【００５０】
尿溜めパック２５に蓄えられた尿は図示しないロック機構を外して尿タンク３５と蓋容器３７を分離した後に装着具２３，３２ａを尿溜めパック２５から取外して尿溜めパック２５を廃棄する。尿溜めパック２５は紙製で焼却処理可能であり可燃物として廃棄することができる。
【００５１】
尿レシーバ１は約１日使用後あるいは排便などで汚れた場合には、ワンタッチジョイント１１により導尿チューブ６，９と信号線７、１０の接続を外して尿レシーバ１を廃棄して、新しい尿レシーバ１を装着者に装着する。尿レシーバ１の可燃物であり焼却処理可能である。
【００５２】
一方、導尿チューブ９は衛生上の観点から１〜２日で交換する必要がある。導尿チューブ９の交換はワンタッチジョイント１１により導尿チューブ６と９の接続と信号線７、１０の接続を外すようにする。次に、尿タンク３５と蓋容器３７を分離した後に装着具２３を尿溜めパック２５のチューブ導孔２４ａから取外して図２の状態にする。装着具２３の取外しは装着具２３を掴んでチューブ導孔２４ａから抜くことにより容易にできる。導尿チューブ９の交換は簡単かつ清潔に行うことができる。
【００５３】
図２の状態において導尿チューブ９を切欠き溝４１ａから外し装着具２３と一緒に廃棄し、新しい導尿チューブ９を尿溜めパック２５のチューブ導孔２４ａに装着する。
【００５４】
なお、吸引チューブ３２の空気漏れ点検は導尿チューブ９の交換と同様にして行われる。
【００５５】
このようにして装着者の排尿を処理するのであるが、本発明は非通気性の尿戻り抑制シート１３を設けているので装着者の体重移動が尿回収部材３に作用しても尿が尿検知センサ４側に逆戻りするのを防止できる。また、尿検知センサ４の直下の尿戻り抑制シート１３の漏斗形状孔１８から尿が尿検知センサ４に触れることもあるが、尿検知センサ４（電極４ａ、４ｂ）の下面を絶縁面１７としているため誤動作することがなくなる。
【００５６】
このようにして装着者の排尿処理を行うのであるが、複数の漏斗形状孔が穿設されている尿戻り抑制シートの上側（表面シート側）に尿検知センサを配置している。排尿を表面シートから吸尿シート方向に流す場合は漏斗形状孔の開口部面積が大きいので流れ易く、逆戻り方向には開口部面積が小さい戻り難くなる。漏斗形状孔の開口部面積が小さいと戻り難くなるのは、吸尿シートに吸着している尿に表面張力があるためである。したがって、一対の電極による尿検知センサを用いても残尿による真空ポンプの誤動作を防止でき、装着者に不快感を生じさせることになく安心して使用することができる。
【００５７】
なお、上述の実施例は尿タンクに収納した尿溜めパックに尿を導くようにしているが、尿タンクを蓋で密閉し、蓋にチューブ導孔を穿設して導尿チューブを装着するようにしても良いことは明らかなことである。その場合には、吸引チューブは他端を尿タンクに固着して連結することもできる。
【００５８】
図７〜９にそれぞれ尿検知センサ４の他の例を示す。
【００５９】
図７は電極支持シート３６の一面に短冊状電極４ａを接着し、他面に短冊状電極４ｂを接着したものである。電極４ａ、４ｂは絶縁面１７が電極支持シート３６に接着されている。図７のような尿検知センサ４でも排尿を正確に検知することができる。
【００６０】
図８は電極支持シート３６の一面と他面に短冊状電極４ａと４ｂを重ねて接着したものである。電極４ａ、４ｂは絶縁面１７が電極支持シート３６に接着されている。図８のような尿検知センサ４でも排尿を正確に検知することができる。
【００６１】
図９は短冊状電極４ａと４ｂを接着する電極支持シート３６を３６ａ、３６ｂの２つに分割したものである。電極４ａ、４ｂは絶縁万１７が電極支持シート３６ａ、３６ｂに接着されている。図８のような尿検知センサ４でも排尿を正確に検知することができ、また、電極支持シート３６ａ、３６ｂに水滴が含まれていても誤動作を防止できる。
【００６２】
以上のように、本発明は複数の漏斗形状孔が穿設されている尿戻り抑制シートの上側（表面シート側）に尿検知センサを配置しているので、尿の逆戻りを抑制できるので、一対の電極による尿検知センサを用いても残尿による真空ポンプの誤動作を防止でき、装着者に不快感を生じさせることになく安心して使用することができる。
【図面の簡単な説明】
【００６３】
【図１】本発明の一実施例を示す全体構成図である。
【図２】尿タンクを一部破断して蓋容器を除去した分解斜視図である。
【図３】尿レシーバの分解斜視図である。
【図４】尿レシーバの図３におけるＡ−Ａ断面図である。
【図５】尿戻り抑制シートの部分拡大断面図である。
【図６】尿検知センサの一例を示す構成図である。
【図７】尿検知センサの他の例を示す構成図である。
【図８】尿検知センサの他の例を示す構成図である。
【図９】尿検知センサの他の例を示す構成図である。
【符号の説明】
【００６４】
１…尿レシーバ、３…排尿回収部材（吸尿シート）、３ａ…吸尿空間形成部材、３ｂ…流路、４…尿検知センサ、４ａ，４ｂ…短冊状電極、５…ギャザー、６、９…導尿チューブ、７、１０…信号線、８…携帯尿処理装置、１１…ワンタッチジョイント、１２…支持シート、１２ａ…導尿口、１３…尿戻り抑制シート、１４…クッションシート、１５…表面シート、１６…導通面、１７…絶縁面、１８…漏斗形状孔、２３、３２ａ…装着具、２４ａ，２４ｂ…チューブ導孔、２５…尿溜めパック、２６…支持板、２７…ばね、２８…モータ、２９…真空ポンプ、３０…制御基板、３１…排気チューブ、３２…吸引チューブ、３３…蓋板、３４…フィルタ、３５…尿タンク、３６…電極支持シート、３７…蓋容器、３８…バッテリボックス、４３…手動スイッチ。
【図１】
2005102979.tif 000003
【図２】
2005102979.tif 000004
【図３】
2005102979.tif 000005
【図４】
2005102979.tif 000006
【図５】
2005102979.tif 000007
【図６】
2005102979.tif 000008
【図７】
2005102979.tif 000009
【図８】
2005102979.tif 000010
【図９】
2005102979.tif 000011